(57)【要約】【課題】  段ボールケースの組立容易性を損なうことなく、段積み荷重等が段ボールケースのどの部分に加わっても耐性が発揮できるようにする。【解決手段】  段ボールケース１は、同一形状の段ボール紙の折り曲げ体からなる第１の半体１０ａと第２の半体１０ｂとを組み合わせることで、直方体状に組み立てられてなる。第１の半体１０ａ（第２の半体１０ｂ）は、２つの重ね合わせ用側面板片３０ａ、４０ａ（４０ｂ、３０ｂ）と、１つの折り曲げ用側面板片２１ａ（５１ｂ）とを備える。段ボールケース１の４つの側面板２，３，４，５は、各々が備える前記重ね合わせ用側面板片３０ａ、３０ｂ及び４０ａ、４０ｂが互いに重ね合わされ、また各々が備える前記折り曲げ用側面板片２１ａ、５１ｂはそれぞれ折り曲げ固定されることで、いずれも二重構造とされている。【選択図】      図１
2006036235.tif 000002
【特許請求の範囲】
【請求項１】
段ボール紙により直方体状に組み立てられてなる段ボールケースにおいて、
該段ボールケースの４つの側面板は、段ボール紙の重ね合わせ及び／又は折り曲げにより少なくとも二重構造とされていることを特徴とする段ボールケース。
【請求項２】
段ボール紙の折り曲げ体からなる第１の半体と、同様に段ボール紙の折り曲げ体からなる第２の半体とを組み合わせることで、直方体状に組み立てられてなる段ボールケースにおいて、
前記第１の半体及び第２の半体は、それぞれ２つの重ね合わせ用側面板片と、１つの折り曲げ用側面板片とを備え、
該段ボールケースの４つの側面板は、前記第１の半体と第２の半体との組立時において、各々が備える前記重ね合わせ用側面板片が互いに重ね合わされるように組み合わされると共に、各々が備える前記折り曲げ用側面板片はそれぞれ折り曲げ固定されることで、いずれも二重構造とされていることを特徴とする段ボールケース。
【請求項３】
第１の半体及び第２の半体は同一形状の段ボール紙折り曲げ体からなり、それぞれ、
折り曲げ基体となる四方形状の基体側面板片と、
前記基体側面板片の一辺に連接された折り曲げ用側面板片と、
前記折り曲げ用側面板片が連接された一辺と直交する２つの辺にそれぞれ連接された第１及び第２の重ね合わせ用側面板片と、
前記基体側面板片の前記折り曲げ用側面板片が連接された対辺に連接された底板用フラップと、
前記第１の重ね合わせ用側面板片若しくは第２の重ね合わせ用側面板片のいずれか一辺に連接された天板用フラップ及び底板用フラップとを具備することを特徴とする請求項２記載の段ボールケース。
【請求項４】
第１の半体及び第２の半体がそれぞれ備える折り曲げ用側面板片の突端には係止用突起部が設けられると共に、基体側面板片に連接された底板用フラップには前記係止用突起部が挿入される突起受け部が設けられ、
前記折り曲げ用側面板片は、基体側面板片との連接部で折り曲げられると共に、前記係止用突起部が前記突起受け部に挿入されることにより折り曲げ固定されることを特徴とする請求項３記載の段ボールケース。
【請求項５】
第１又は第２の重ね合わせ用側面板片の一辺に連接された天板用フラップの両側辺には、差し込み用の小フラップが連接されていることを特徴とする請求項３記載の段ボールケース。
【請求項６】
段ボール紙により直方体状に組み立てられる段ボールケースの組立用の半体であって、
折り曲げ基体となる四方形状の基体側面板片と、
前記基体側面板片の一辺に連接された折り曲げ用側面板片と、
前記折り曲げ用側面板片が連接された一辺と直交する２つの辺にそれぞれ連接された第１及び第２の重ね合わせ用側面板片と、
前記基体側面板片の前記折り曲げ用側面板片が連接された対辺に連接された底板用フラップと、
前記第１の重ね合わせ用側面板片若しくは第２の重ね合わせ用側面板片のいずれか一辺に連接された天板用フラップ及び底板用フラップとを具備することを特徴とする段ボールケースの組立用半体。
【請求項７】
第１の半体及び第２の半体がそれぞれ備える折り曲げ用側面板片の突端には係止用突起部が設けられると共に、基体側面板片に連接された底板用フラップには前記係止用突起部が挿入される突起受け部が設けられ、
前記折り曲げ用側面板片は、基体側面板片との連接部で折り曲げられると共に、前記係止用突起部が前記突起受け部に挿入されることにより折り曲げ固定されることを特徴とする請求項６記載の段ボールケースの組立用半体。
【請求項８】
第１又は第２の重ね合わせ用側面板片の一辺に連接された天板用フラップの両側辺には、差し込み用の小フラップが連接されていることを特徴とする請求項６記載の段ボールケースの組立用半体。
【発明の詳細な説明】
【技術分野】
【０００１】
本発明は、段ボール紙により直方体状に組み立てられてなる段ボールケース及びその組立用半体に関するものである。
【背景技術】
【０００２】
電子機器等の被梱包物を梱包するケースとして、直方体状に組み立てられた段ボールケースが汎用されている。また、段ボール紙の折り曲げ体からなる第１の半体と、同様に段ボール紙の折り曲げ体からなる第２の半体とを組み合わせて（継ぎ合わせて）、直方体状に組み立てられてなる段ボールケースも汎用されている。このような段ボールケースは、大重量の物品を梱包する場合や多段に段積される場合にあっては相応の強度を備えていることが望ましく、強度向上のために何らかの補強構造が施与されることがある。
【０００３】
従来、例えば特許文献１に記載されているように、段ボールケースの２箇所のコーナー部に補強部を備えた段ボールケースが知られている。この段ボールケースは、２個の段ボールケース半体の継代部分に延設部を設け、該延設部を角柱形状に折り曲げることで、段ボールケースの２箇所のコーナー部に角柱状の補強部が形成されたものである。
【特許文献１】特開２００２−２６４９２６号公報
【発明の開示】
【発明が解決しようとする課題】
【０００４】
しかしながら、特許文献１にあるような段ボール箱においては、２カ所のコーナー部にしか補強部がなく、コーナー部以外の箇所や、補強部が備えられていないコーナー部に段積み等によって大きな荷重が加わった場合、当該段ボールケースが前記荷重により座屈してしまう危惧がある。なお、このような補強部を付加するに際しては、段ボールケースの組立容易性をなるべく損なわないよう、補強段ボール等の後付けを伴わない、簡易的な補強構造とすることが望ましい。
【０００５】
本発明は、上記のような状況に鑑みなされたものであって、段ボールケースの組立容易性を損なうことなく、段積み荷重等が段ボールケースのどの部分に加わっても耐性が発揮できるような段ボールケース及びその組立用半体を提供することを目的とする。
【課題を解決するための手段】
【０００６】
本発明の請求項１にかかる段ボールケースは、段ボール紙により直方体状に組み立てられてなる段ボールケースにおいて、該段ボールケースの４つの側面板は、段ボール紙の重ね合わせ及び／又は折り曲げにより少なくとも二重構造とされていることを特徴とする。この構成によれば、段ボールケースの４つの側面板すべてが、少なくとも二重構造とされているので、側面部分の強度が向上し、例えば当該段ボールケースの段積み荷重に対する耐性を格段に向上させることができる。
【０００７】
本発明の請求項２にかかる段ボールケースは、段ボール紙の折り曲げ体からなる第１の半体と、同様に段ボール紙の折り曲げ体からなる第２の半体とを組み合わせることで、直方体状に組み立てられてなる段ボールケースにおいて、前記第１の半体及び第２の半体は、それぞれ２つの重ね合わせ用側面板片と、１つの折り曲げ用側面板片とを備え、該段ボールケースの４つの側面板は、前記第１の半体と第２の半体との組立時において、各々が備える前記重ね合わせ用側面板片が互いに重ね合わされるように組み合わされると共に、各々が備える前記折り曲げ用側面板片はそれぞれ折り曲げ固定されることで、いずれも二重構造とされていることを特徴とする。
【０００８】
この構成によれば、第１の半体と第２の半体とにそれぞれ備えられている２つの重ね合わせ用側面板片が、組立時に互いに重ね合わされることで二重構造の側面板が形成される。また、第１の半体と第２の半体とにそれぞれ備えられている１つの折り曲げ用側面板片がそれぞれ折り曲げ固定されることによっても、二重構造の側面板が形成されることとなる。従って、当該段ボールケースの４つの側面板は、いずれも段ボール紙の重ね合わせ若しくは折り曲げによる二重構造（補強構造）とされるようになる。
【０００９】
請求項３にかかる段ボールケースは、請求項２において、第１の半体及び第２の半体は同一形状の段ボール紙折り曲げ体からなり、それぞれ、折り曲げ基体となる四方形状の基体側面板片と、前記基体側面板片の一辺に連接された折り曲げ用側面板片と、前記折り曲げ用側面板片が連接された一辺と直交する２つの辺にそれぞれ連接された第１及び第２の重ね合わせ用側面板片と、前記基体側面板片の前記折り曲げ用側面板片が連接された対辺に連接された底板用フラップと、前記第１の重ね合わせ用側面板片若しくは第２の重ね合わせ用側面板片のいずれか一辺に連接された天板用フラップ及び底板用フラップとを具備することを特徴とする。この構成によれば、同一形状である第１の半体と第２の半体とを組み合わせるだけで、４つの側面板が全て二重構造（補強構造）とされたフラップ付きの段ボールケースを完成させることができる。また、第１の半体と第２の半体とは同一形状であるので、裁断形状並びに折り目加工が共通の半体で対応できるようになる。
【００１０】
請求項４にかかる段ボールケースは、請求項３において、第１の半体及び第２の半体がそれぞれ備える折り曲げ用側面板片の突端には係止用突起部が設けられると共に、基体側面板片に連接された底板用フラップには前記係止用突起部が挿入される突起受け部が設けられ、前記折り曲げ用側面板片は、基体側面板片との連接部で折り曲げられると共に、前記係止用突起部が前記突起受け部に挿入されることにより折り曲げ固定されることを特徴とする。この構成によれば、係止用突起部と突起受け部との係合により、第１の半体及び第２の半体がそれぞれ備える折り曲げ用側面板片は、折り曲げによる二重構造を安定的に保持することができる。
【００１１】
請求項５にかかる段ボールケースは、請求項３において、第１又は第２の重ね合わせ用側面板片の一辺に連接された天板用フラップの両側辺には、差し込み用の小フラップが連接されていることを特徴とする。この構成によれば、小フラップにより天板用フラップの両側辺部と側面板との隙間から進入する塵埃を遮断できるようになる。
【００１２】
本発明の請求項６にかかる段ボールケースの組立用半体は、段ボール紙により直方体状に組み立てられる段ボールケースの組立用の半体であって、折り曲げ基体となる四方形状の基体側面板片と、前記基体側面板片の一辺に連接された折り曲げ用側面板片と、前記折り曲げ用側面板片が連接された一辺と直交する２つの辺にそれぞれ連接された第１及び第２の重ね合わせ用側面板片と、前記基体側面板片の前記折り曲げ用側面板片が連接された対辺に連接された底板用フラップと、前記第１の重ね合わせ用側面板片若しくは第２の重ね合わせ用側面板片のいずれか一辺に連接された天板用フラップ及び底板用フラップとを具備することを特徴とする。
【００１３】
上記請求項６において、第１の半体及び第２の半体がそれぞれ備える折り曲げ用側面板片の突端には係止用突起部が設けられると共に、基体側面板片に連接された底板用フラップには前記係止用突起部が挿入される突起受け部が設けられ、前記折り曲げ用側面板片は、基体側面板片との連接部で折り曲げられると共に、前記係止用突起部が前記突起受け部に挿入されることにより折り曲げ固定されるよう構成することが好ましい（請求項７）。
【００１４】
また上記請求項６において、第１又は第２の重ね合わせ用側面板片の一辺に連接された天板用フラップの両側辺には、差し込み用の小フラップが連接されるよう構成することが好ましい（請求項８）。
【発明の効果】
【００１５】
請求項１にかかる段ボールケースによれば、段ボールケースの４つの側面板すべてが、少なくとも二重構造とされているので、側面部分の強度が向上し、例えば当該段ボールケースの段積み荷重に対する耐性を格段に向上させることができる。従って、被梱包物が内包された状態で該段ボールケースの輸送や保管が行われる場合に、側面板が座屈しにくくなることから、その取り扱い性が良好となる。
【００１６】
請求項２にかかる段ボールケースによれば、第１の半体と第２の半体とにそれぞれ備えられている２つの重ね合わせ用側面板片と、１つの折り曲げ用側面板片とにより、段ボールケースの４つの側面板すべてを二重構造の側面板とすることができるので、特段補強段ボールの後付け作業等を要することなく、すなわち組立容易性を損なうことなく、本発明にかかる補強構造を備えた段ボールケースを構成することが可能となる。
【００１７】
請求項３にかかる段ボールケースによれば、第１の半体と第２の半体とを組み合わせるだけで、４つの側面板が全て二重構造とされたフラップ付きの段ボールケースを完成させることができるので、組立容易性を一層向上させることができる。また、第１の半体と第２の半体とは同一形状であるので、裁断形状並びに折り目加工が共通の半体で対応できることから、半体を作成するための金型費用や作業工数、管理コスト等を低減することが可能となる。
【００１８】
請求項４にかかる段ボールケースによれば、第１の半体及び第２の半体がそれぞれ備える折り曲げ用側面板片は、折り曲げによる二重構造を安定的に保持することができるので、補強構造の安定化を図ることができる。
【００１９】
請求項５にかかる段ボールケースによれば、小フラップにより天板用フラップの両側辺部と側面板との隙間から進入する塵埃を遮断できることから、当該段ボールケースの耐防塵性を良好にでき、被梱包物の保護性を高めることができる。
【００２０】
請求項６乃至請求項８にかかる段ボールケースの組立用半体によれば、上述したような段ボールケースの４つの側面板すべてが、少なくとも二重構造とされた段ボールケースを簡易に組み立てることができるようになる。
【発明を実施するための最良の形態】
【００２１】
以下、図面に基づいて、本発明の実施形態につき詳細に説明する。
図１は本実施形態にかかる段ボールケース１の斜視図であり、図２（ａ）は図１のＸ−Ｘ線断面図を、図２（ｂ）は同Ｙ−Ｙ線断面図を、図３（ａ）は図１のａ部拡大図を、図３（ｂ）は図１のｂ部拡大図をそれぞれ示している。この段ボールケース１は、上面視で長方形を為す直方体状を呈しており、４つの側面板、すなわち対向配置されている一対の短辺側面板２、５及び同様に対向配置されている一対の長辺側面板３、４と、天板６と、底板７とから構成されている。
【００２２】
かかる段ボールケース１は、図５に示すように、段ボール紙の折り曲げ体からなる第１の半体１０ａと、同様に段ボール紙の折り曲げ体からなる第２の半体１０ｂとを組み合わせることで、直方体状に組み立てられている。本実施形態においては、第１の半体１０ａと第２の半体１０ｂとは同一形状の段ボール折り曲げ体が用いられている。なお図４は、このような第１の半体１０ａ（第２の半体１０ｂ）の展開図を示している。
【００２３】
図４において、点線部分は折り曲げ部（連接部）を示している。第１の半体１０ａ（第２の半体１０ｂ）は、折り曲げ基体となる四方形状の基体側面板片２０ａ（５０ｂ）と、前記基体側面板片２０ａ（５０ｂ）の一辺（図面上下方向の一辺）に連接された折り曲げ用側面板片２１ａ（５１ｂ）と、前記折り曲げ用側面板片２１ａ（５１ｂ）が連接された一辺と直交する２つの辺にそれぞれ連接された第１の重ね合わせ用側面板片３０ａ（４０ｂ）及び第２の重ね合わせ用側面板片４０ａ（３０ｂ）と、前記基体側面板片２０ａ（５０ｂ）の前記折り曲げ用側面板片２１ａ（５１ｂ）が連接された対辺に連接された底板用フラップ７１ａ（７１ｂ）と、前記第１の重ね合わせ用側面板片３０ａ（４０ｂ）の上辺に連接された天板用フラップ６０ａ（６０ｂ）と、下辺に連接された底板用フラップ７２ａ（７２ｂ）とからなる。
【００２４】
なお、前記天板用フラップ６０ａ（６０ｂ）と底板用フラップ７２ａ（７２ｂ）とは、第２の重ね合わせ用側面板片４０ａ（３０ｂ）の上下辺に連接させるようにしても良い。また、いずれか一方のフラップを、別々に連接させるようにしても良い、例えば、第１の重ね合わせ用側面板片３０ａ（４０ｂ）の上辺に天板用フラップ６０ａ（６０ｂ）を、第２の重ね合わせ用側面板片４０ａ（３０ｂ）の下辺に底板用フラップ７２ａ（７２ｂ）を連接させるようにしても良い。
【００２５】
図４で点線にて示す折り曲げ部は、基本的に直角に折り曲げられるものであるが（図５参照）、前記折り曲げ用側面板片２１ａ（５１ｂ）については、基体側面板片２０ａ（５０ｂ）と面接触するよう１８０°折り返される。折り曲げ用側面板片２１ａ（５１ｂ）の突端には、ここで使用される段ボール紙の紙厚に相当する程度の係止用突起部２１１ａ（５１１ｂ）が設けられている。一方、前記底板用フラップ７１ａ（７１ｂ）には、前記係止用突起部２１１ａ（５１１ｂ）が挿入されるスリット状の突起受け部７１１ａ（７１１ｂ）が設けられている。この突起受け部７１１ａ（７１１ｂ）は、基体側面板片２０ａ（５０ｂ）との連接部（折り目線）の近傍に、折り目線と平行に設けられている。従って、折り曲げ用側面板片２１ａ（５１ｂ）が１８０°折り返されたときに、前記係止用突起部２１１ａ（５１１ｂ）が突起受け部７１１ａ（７１１ｂ）に挿入されることで、折り曲げ用側面板片２１ａ（５１ｂ）が基体側面板片２０ａ（５０ｂ）に面接触乃至は近接した折り曲げ姿勢が維持できるようになっている。
【００２６】
天板用フラップ６０ａ（６０ｂ）の両側辺には、差し込み用の小フラップ６１ａ（６１ｂ）、６２ａ（６２ｂ）が連接されている。この小フラップ６１ａ（６１ｂ）、６２ａ（６２ｂ）は、後述する通り、段ボールケース１内に塵埃が進入することを防止する役目を果たすものである。また、第２の重ね合わせ用側面板片４０ａ（３０ｂ）の右辺には、継ぎ代片８ａ（８ｂ）が連接されている。該継ぎ代片８ａ（８ｂ）は、別部材からなる第１の半体１０ａと第２の半体１０ｂとを一体的に接合するために用いられる部分であり、例えばステイプルが打設される打ち代として用いられる。
【００２７】
以上のように構成された段ボール基体の折り曲げ体からなる第１の半体１０ａと第２の半体１０ｂとを組み合わせることで、図１に示すような本実施形態にかかる直方体状に組み立てられた段ボールケース１が構成されている。すなわち、第１の半体１０ａと第２の半体１０ｂとが組み合わされた結果、当該段ボールケース１の４つの側面板である短辺側面板２、５及び長辺側面板３、４は、いずれも段ボール紙の二重構造とされる。
【００２８】
まず、短辺側面板２については、第１の半体１０ａが備える基体側面板片２０ａと折り曲げ用側面板片２１ａとからなる段ボール紙の二重構造とされている。すなわち図２（ａ）に示すように、基体側面板片２０ａと、該基体側面板片２０ａに対して１８０°折り返された折り曲げ用側面板片２１ａとが重ね合わされている。前述の通り、折り曲げ用側面板片２１ａの突端に設けられた係止用突起部２１１ａは突起受け部７１１ａに挿入され、前記折り返し形状の保形が図られている。なお、係止用突起部２１１ａの先端縁は、底板用フラップ７２ａの上面に当接乃至は近接している。同様に、この短辺側面板２に対して対向配置されている短辺側面板５については、第２の半体１０ｂが備える基体側面板片５０ｂと折り曲げ用側面板片５１ｂとからなる段ボール紙の二重構造とされている。
【００２９】
次に、長辺側面板３については、第１の半体１０ａが備える第１の重ね合わせ用側面板片３０ａと、第２の半体１０ｂが備える第２の重ね合わせ用側面板片３０ｂとからなる段ボール紙の二重構造とされている。すなわち図２（ｂ）に示すように、第１の重ね合わせ用側面板片３０ａの内側面に沿うように、第２の重ね合わせ用側面板片３０ｂが重ね合わされている。なお、第２の重ね合わせ用側面板片３０ｂの下端縁は、底板用フラップ７２ａの上面に当接乃至は近接している。同様に、この長辺側面板３に対して対向配置されている長辺側面板４については、第２の半体１０ｂが備える第１の重ね合わせ用側面板片４０ｂと、第１の半体１０ａが備える第２の重ね合わせ用側面板片４０ａとからなる段ボール紙の二重構造とされている。なお、前記第１の重ね合わせ用側面板片４０ｂの内側面に沿うように、第２の重ね合わせ用側面板片４０ａが重ね合わされている。
【００３０】
なお、前記折り曲げ用側面板片２１ａ（５１ｂ）の幅は、基体側面板片２０ａ（５０ａ）に比べて狭幅とされている。これは、図４の展開図に示すように、紙取りをするときに小フラップ６２ａ（６２ｂ）部分を割り当てるためである。従って、折り曲げ用側面板片２１ａを折り返して基体側面板片２０ａに重ね合わせても、その両側に基体側面板片２０ａが露出する部分（一重部分）が生じることとなる。
【００３１】
そこで本実施形態では、図３（ａ）に示すように、かような一重部分に継ぎ代片８ａ（８ｂ）沿わせるようにして、第１の半体１０ａと第２の半体１０ｂとを一体的に接合するようにしている。すなわち、第２の半体１０ｂの基体側面板片５０ａと第１の重ね合わせ用側面板片４０ｂとの折り曲げ部Ｗに、第１の半体１０ａにおける第２の重ね合わせ用側面板片４０ａの端縁が当接され、該第２の重ね合わせ用側面板片４０ａに連接されている継ぎ代片８ａが、基体側面板片５０ａの前記折り曲げ部Ｗ近傍の一重部分に重ね合わされている。
【００３２】
一方、図３（ｂ）に示すように、継ぎ代片８ａが存在しない側においては、基体側面板片５０ａが露出することになる。この部分においては、側面板は二重構造とされていないことになるが、この程度の隙間部分が存在していてもさほど強度が低下することはない。従って本発明においては、実質的に著しい強度低下を招来しない限度において、このような一重部分が存在していても良い。
【００３３】
続いて、本実施形態にかかる段ボールケース１の組立手順について、図６に基づいて説明する。前提として、図５に示すように、第１の半体１０ａと第２の半体１０ｂとが所定の形状に折り曲げ形成されているものとする。まず図６（ａ）に示すように、第１の半体１０ａと第２の半体１０ｂとを対向させ、第１の半体１０ａにおける第１の重ね合わせ用側面板片３０ａと、第２の半体１０ｂにおける第２の重ね合わせ用側面板片３０ｂとが重なるように、同様に第２の半体１０ｂが備える第１の重ね合わせ用側面板片４０ｂと、第１の半体１０ａが備える第２の重ね合わせ用側面板片４０ａとが重なるように、両者を組み合わせる。図６（ａ）では、第１の半体１０ａで見ると、第１の重ね合わせ用側面板片３０ａがケース外側に、第２の重ね合わせ用側面板片４０ａがケース内側に位置するよう組み合わされる態様を示しているが、前記ケース外側・内側が逆になるように組み合わせても勿論良い。
【００３４】
図６（ｂ）は、第１の半体１０ａと第２の半体１０ｂとを完全に組み合わせた状態を示している。この組み合わせにより、長辺側面板３は、第１の重ね合わせ用側面板片３０ａと第２の重ね合わせ用側面板片３０ｂとにより二重構造とされ、長辺側面板４は、第２の重ね合わせ用側面板片４０ａと第１の重ね合わせ用側面板片４０ｂとにより二重構造とされる。そして、第１の半体１０ａに具備されている継ぎ代片８ａと、第２の半体１０ｂの基体側面板片５０ａとが面接触されることとなり、両者がステイプルの打設等により固定される。同様に第２の半体１０ｂに具備されている継ぎ代片８ｂと、第１の半体１０ａの基体側面板片２０ａとが固定される。さらにケース底面側には接着テープＴが貼付される。このようにして第１の半体１０ａと第２の半体１０ｂとが固定一体化される。
【００３５】
なお、この段階で底板７は実質的に完成している。すなわち、第１の半体１０ａと第２の半体１０ｂとが組み合わされることにより、第１の半体１０ａが備える短辺底板用フラップ７１ａと第２の半体１０ｂが備える長辺底板用フラップ７２ｂとが、同様に長辺底板用フラップ７２ａと短辺底板用フラップ７１ｂとが部分的に重なり合うことによって、さらには長辺底板用フラップ７２ａ、７２ｂの突き合わせ部に沿って前記接着テープＴが貼付されることで、底板７が完成される。
【００３６】
次に、図６（ｃ）に示すように、第１の半体１０ａが備える折り曲げ用側面板片２１ａ、及び第２の半体１０ｂが備える折り曲げ用側面板片５１ｂが、ケースの内側に向けて、それぞれ１８０°折り返される。この際、第１の半体１０ａが備える係止用突起部２１１ａが突起受け部７１１ａに挿入され、また、第２の半体１０ｂが備える係止用突起部５１１ｂが突起受け部７１１ｂに挿入される（図６（ｃ）に付されている拡大図参照）。これにより、短辺側面板２は、基体側面板片２０ａと折り曲げ用側面板片２１ａとにより二重構造とされ、短辺側面板５、基体側面板片５０ｂと折り曲げ用側面板片５１ｂとからなる段ボール紙の二重構造とされる。
【００３７】
最後に、被梱包物をケース内に収納する等した後に、図６（ｄ）に示すように、天板用フラップ６０ａ、６０ｂがケース内側へ向けて折り曲げられることで、直方体状の段ボールケース１が完成する。これにより、天板用フラップ６０ａ、６０ｂからなる天板６が完成する。この際、天板用フラップ６０ａ、６０ｂの両側辺にそれぞれ連接されている差し込み用の小フラップ６１ａ、６２ａ、６１ｂ、６２ｂは、短辺側面板２、５の内側に折り込まれ、当該段ボールケース１の防塵性が高められるものである。
【００３８】
以上、本発明の実施形態につき説明したが、これに限定されるものではなく、種々の変形実施が可能である。例えば、下記の（ａ）〜（ｄ）の態様を採ることができる。
（ａ）上記実施形態では、第１の半体１０ａと第２の半体１０ｂとが同一形状のものについて説明したが、両者が同一形状とされていなくとも良い。例えば、上記実施形態において第２の半体１０ｂに備えられている天板用フラップ６０ｂを、第１の半体１０ａが備える第２の重ね合わせ用側面板片４０ａに連接させることができる。この場合、第２の半体１０ｂが備える第１の重ね合わせ用側面板片４０ｂ及び第２の重ね合わせ用側面板片３０ｂが、いずれもケース内側に位置されるよう、基体側面板片５０ｂの横幅を、第１の半体１０ａの基体側面板片２０ａよりも側面板片の紙厚分だけ短く設定すれば良い。しかしながら、本実施形態のように第１の半体１０ａと第２の半体１０ｂとを同一形状とすれば、段ボール紙の裁断形状並びに折り目加工が共通の半体で対応できることから、半体を作成するための金型費用や作業工数、管理コスト等を低減することが可能となる。
【００３９】
（ｂ）上記実施形態では、折り曲げ用側辺板片２１ａ、５１ｂを短辺側面板２、５側に連接させるようにしたが、これを長辺側面板３、４側に配置するようにしても良い。なお、段ボールケース１の形状は直方体状であれば良く、正直方体、底深の直方体、底浅幅広の直方体など、いずれの形状であっても良い。
【００４０】
（ｃ）上記実施形態では、継ぎ代片８ａ、８ｂを具備させる構成としたが、これを省略し、第１の半体１０ａが備える第２の重ね合わせ用側面板片４０ａの先端部分、及び第２の半体１０ｂが備える第２の重ね合わせ用側面板片３０ｂの先端部分において、ステイプル止め等をするようにしても良い。
【００４１】
（ｄ）上記実施形態では、側面板２，３，４，５を段ボール紙の重ね合わせ及び折り曲げにより、いずれも二重構造とする例を示したが、三重以上の多重構造にすることもできる。例えば、第１の重ね合わせ用側面板片３０ａ（４０ｂ）及び第２の重ね合わせ用側面板片４０ａ（３０ｂ）の突端に折り曲げ用側面板片を連接し、これを組み合わせ時に１８０°折り曲げることで、長辺側面板３、４を三重構造とすることができる。
【図面の簡単な説明】
【００４２】
【図１】本発明の実施形態にかかる段ボールケース１を示す斜視図である。
【図２】（ａ）は、図１のＸ−Ｘ線断面図を、（ｂ）は、図１のＹ−Ｙ線断面図をそれぞれ示している。
【図３】（ａ）は、図１のａ部拡大図を、（ｂ）は、図１のｂ部拡大図をそれぞれ示している。
【図４】段ボールケース１を構成する組立用半体の展開図である。
【図５】段ボールケース１を構成する組立用半体である第１の半体１０ａと第２の半体１０ｂの、組み合わせ前の状態を示す斜視図である。
【図６】段ボールケース１の組立手順を示す斜視図である。
【符号の説明】
【００４３】
１      段ボールケース
２、５  短辺側面板  
３、４  長辺側面板
６      天板
７      底板
１０ａ  第１の半体（組立用半体）
１０ｂ  第２の半体（組立用半体）
２０ａ、５０ｂ  基体側面板片
２１ａ、５１ｂ  折り曲げ用側面板片
２１１ａ、５１１ｂ  係止用突起部
３０ａ、４０ｂ  第１の重ね合わせ用側面板片
４０ａ、３０ｂ  第２の重ね合わせ用側面板片
６０ａ、６０ｂ  天板用フラップ
６１ａ、６１ｂ、６２ａ、６２ｂ  小フラップ
７１ａ、７１ｂ、７２ａ、７２ｂ  底板用フラップ
７１１ａ、７１１ｂ  突起受け部
【図１】
2006036235.tif 000003
【図２】
2006036235.tif 000004
【図３】
2006036235.tif 000005
【図４】
2006036235.tif 000006
【図５】
2006036235.tif 000007
【図６】
2006036235.tif 000008